(57)【要約】【課題】  組立、調整やメンテナンスが容易であるとともに、設計の自由度を高めることができる鍵盤楽器のペダル装置を提供する。【解決手段】  中空状のペダル取付部２６を有し、ペダル取付部２６の後部に支点部３３が設けられ、前部に窓部３２が形成されるとともに、床Ｆに接地されるシャーシ３と、後部がシャーシ３のペダル取付部２６内に収容され、支点部３３に回動自在に支持されるとともに、前部が窓部３２を介して前方に突出し、下方に踏込み操作されるペダル２と、下面が開放した中空状に形成され、ペダル取付部２６を覆うようにシャーシ３に上方から着脱自在に取り付けられるとともに、下方に開放し且つペダル２が通る窓部３６が前壁４ｂに形成されたカバー４と、を備える。【選択図】  図３
2008090170.tif 000002
【特許請求の範囲】
【請求項１】
中空状のペダル取付部を有し、当該ペダル取付部の後部に支点部が設けられ、前部に窓部が形成されるとともに、床に接地されるシャーシと、
後部が当該シャーシの前記ペダル取付部内に収容され、前記支点部に回動自在に支持されるとともに、前部が前記窓部を介して前方に突出し、下方に踏込み操作されるペダルと、
下面が開放した中空状に形成され、前記ペダル取付部を覆うように前記シャーシに上方から着脱自在に取り付けられるとともに、下方に開放し且つ前記ペダルが通る窓部が前壁に形成されたカバーと、
を備えることを特徴とする鍵盤楽器のペダル装置。
【請求項２】
前記シャーシの前記ペダル取付部に水平に取り付けられたプリント基板をさらに備え、
当該プリント基板には、前記ペダルの踏込み量を検出するための光センサと、当該光センサの光量を調整するための可変抵抗が設けられており、
当該可変抵抗の操作子が、前記プリント基板の上方から操作可能に配置されていることを特徴とする、請求項１に記載の鍵盤楽器のペダル装置。
【請求項３】
前記ペダルの後部に一体に設けられ、前記光センサからの光を反射する反射面部と、外部からの光を遮断する遮光部とを有するペダルカバーをさらに備えていることを特徴とする、請求項２に記載の鍵盤楽器のペダル装置。
【請求項４】
前記プリント基板と当該鍵盤楽器の本体とを接続するペダルケーブルをさらに備え、前記シャーシの背壁は下方に向かって広がるように傾斜しており、当該シャーシの前記背壁および前記カバーの背壁の互いの接合部の少なくとも一方に、前記ペダルケーブルが通される切欠が形成されていることを特徴とする、請求項１ないし３のいずれかに記載の鍵盤楽器のペダル装置。
【発明の詳細な説明】
【技術分野】
【０００１】
本発明は、電子ピアノなどにおいて、ペダル効果を付与するのに用いられる鍵盤楽器のペダル装置に関し、特に楽器本体と分離した状態で用いられる分離タイプのペダル装置に関する。
【背景技術】
【０００２】
従来のこの種のペダル装置として、例えば特許文献１に開示されたものが知られている。このペダル装置は、ペダルホルダと、ペダルホルダに取り付けられたペダルを備えている。ペダルホルダは、床に接地されるベース部と、ベース部の後部を上方から覆う中空のカバー部を、一体に有している。カバー部の前壁には窓部が形成されている。ペダルは、カバー部の窓部を通って前後方向に延びており、その後半部がカバー部内に収容され、後端部において回動自在に支持されるとともに、前半部がカバー部の窓部の前方に延びている。また、カバー部内には、ペダルを上方に付勢するばねや、ペダルの操作状態を検出するためのスイッチが設けられている
【０００３】
このペダル装置では、ペダルが踏み込まれると、ペダルは後端部を中心として下方に回動し、このペダルの回動状態がスイッチで検出されることによって、ペダル効果が付与される。また、ペダルの踏込み操作が終了すると、ペダルは、ばねのばね力によって上方に復帰回動し、カバー部の窓部の上縁に当接することによって、上限位置に保持される。
【０００４】
しかし、この従来のペダル装置では、ペダルホルダのベース部とカバー部が一体に構成されているので、カバー部内に配置されるペダル部や、ばね、スイッチなどの組立を容易に行うことができないという問題がある。同じ理由から、カバー部内に配置されるこれらの部品を対象とする調整やメンテナンスも行いにくい。また、ペダルが窓部を介して前方から挿入されるため、ペダルが湾曲している場合や、ペダルの前部よりも後部の幅が大きい場合などには、ペダルの挿入が困難または不可能になる。このため、ペダルをほぼ直線状に延びるように形成することが必要になるなど、ペダル装置の設計の自由度が制約される。あるいは上記のような形状のペダルに対し、窓部の幅を広げることによって対応することも考えられるが、その場合には、ペダルと窓部の間に大きな隙間が生じ、外観が損ねなわれてしまう。
【０００５】
本発明は、このような課題を解決するためになされたものであり、組立、調整やメンテナンスが容易であるとともに、設計の自由度を高めることができる鍵盤楽器のペダル装置を提供することを目的としている。
【０００６】
【特許文献１】実用新案登録第２５１３５５８号
【発明の開示】
【課題を解決するための手段】
【０００７】
この目的を達成するため、本発明の請求項１による鍵盤楽器のペダル装置は、中空状のペダル取付部を有し、ペダル取付部の後部に支点部が設けられ、前部に窓部が形成されるとともに、床に接地されるシャーシと、後部がシャーシのペダル取付部内に収容され、支点部に回動自在に支持されるとともに、前部が窓部を介して前方に突出し、下方に踏込み操作されるペダルと、下面が開放した中空状に形成され、ペダル取付部を覆うようにシャーシに上方から着脱自在に取り付けられるとともに、下方に開放し且つペダルが通る窓部が前壁に形成されたカバーと、を備えることを特徴とする。
【０００８】
この鍵盤楽器のペダル装置では、ペダルの後部が、シャーシのペダル取付部に収容されるとともに、支点部に回動自在に支持され、ペダルの前部は、ペダル取付部の前部の窓部から前方に突出している。また、シャーシには、そのペダル取付部を覆うように、カバーが上方から着脱自在に取り付けられ、ペダルは、下方に開放するカバーの窓部に通される。このように、本発明のペダル装置は、シャーシとカバーが互いに別体で構成されているので、カバーのない状態で、シャーシにペダルなどを取り付けることができ、したがって、組立を容易に行うことができる。また、カバーを取り外すことにより、ペダル装置の調整やメンテナンスも容易に行える。
【０００９】
また、シャーシとカバーが別体で構成されているので、ペダルなどのペダル装置の設計の自由度を高めることができる。例えば、シャーシの窓部は、ペダルを前後方向に通すのに十分なサイズが必要であるのに対し、カバーの窓部は、シャーシから突出するペダルの部分に、上方からある程度の隙間をもって嵌められるサイズであればよい。したがって、シャーシの窓部を大きく設定することによって、ペダルが湾曲している場合や、ペダルの前部よりも後部の幅が大きい場合でも、ペダルをシャーシの窓部に支障なく挿入し、シャーシに取り付けることができる。一方、カバーの窓部をより小さくすることにより、ペダルとカバーの窓部との間の隙間を最小限に抑制でき、それにより、良好な外観を確保することができる。
【００１０】
請求項２に係る発明は、請求項１に記載の鍵盤楽器のペダル装置において、シャーシのペダル取付部に水平に取り付けられたプリント基板をさらに備え、プリント基板には、ペダルの踏込み量を検出するための光センサと、光センサの光量を調整するための可変抵抗が設けられており、可変抵抗の操作子が、プリント基板の上方から操作可能に配置されていることを特徴とする。
【００１１】
この構成によれば、可変抵抗の操作子がプリント基板の上方から操作可能に配置されているので、カバーを取り外した状態で、ペダルを取り付けたまま、可変抵抗の操作子を上方から操作することによって、ペダルの踏込み量を検出する光センサの光量を容易に調整することができる。
【００１２】
請求項３に係る発明は、請求項２に記載の鍵盤楽器のペダル装置において、ペダルの後部に一体に設けられ、光センサからの光を反射する反射面部と、外部からの光を遮断する遮光部とを有するペダルカバーをさらに備えていることを特徴とする。
【００１３】
この構成によれば、光センサは反射型のものであり、光センサからの光が、ペダルの後部に一体に設けたペダルカバーの反射面部で反射されることによって、ペダルの踏込み量が検出される。また、外部から光センサに侵入する光を、ペダルカバーの遮光部によって遮断するので、ペダル取付部がカバーで覆われることと相まって、光センサの安定した動作を確保することができる。さらに、反射面部および遮光部がペダルカバーと一体に形成されているので、これらを別個に設ける必要がなくなり、それにより、製造コストを削減することができる。
【００１４】
請求項４に係る発明は、請求項１ないし３のいずれかに記載の鍵盤楽器のペダル装置において、プリント基板と鍵盤楽器の本体とを接続するペダルケーブルをさらに備え、シャーシの背壁は下方に向かって広がるように傾斜しており、シャーシの背壁およびカバーの背壁の互いの接合部の少なくとも一方に、ペダルケーブルが通される切欠が形成されていることを特徴とする。
【００１５】
この構成によれば、プリント基板と鍵盤楽器の本体とを接続するペダルケーブルが、シャーシの背壁およびカバーの背壁の互いの接合部の少なくとも一方に形成された切欠に通され、外部に延びるとともに、シャーシの背壁は下方に広がるように傾斜している。したがって、ペダル装置を例えば部屋の壁に密着した状態で使用する場合でも、ペダルケーブルを、ペダル装置の背壁と部屋の壁との間に挟み付けずに、支障なく引き出すことができる。また、この切欠がシャーシの背壁とカバーの背壁との接合部に形成されるので、シャーシに対するカバーの着脱を、ペダルケーブルに邪魔されることなく、容易に行うことができる。
【発明を実施するための最良の形態】
【００１６】
以下、本発明の好ましい実施の形態を、図面を参照しながら詳細に説明する。図１〜図３は、本発明を適用したペダル装置１を示している。このペダル装置１は、電子ピアノやキーボードなど（いずれも図示せず）の本体と分離した状態で用いられる分離タイプのものであり、ペダルケーブル９によって電子ピアノなどの本体（以下「ピアノ本体」という）に接続されていて、ペダル２の踏込みに伴って所定のペダル効果が付与される。
【００１７】
ペダル装置１は、１本のペダル２と、ペダル２を回動自在に支持するシャーシ３と、シャーシ３を上方から覆うカバー４と、シャーシ３の上面に設けられ、ペダル２の踏込み量を検出するための光センサ５およびプリント基板６と、ペダル２を踏込み操作後に復帰させるためのコイルばね７と、シャーシ３の下端部に取り付けられたベースプレート８と、前記ペダルケーブル９などで構成されている。
【００１８】
図４に示すように、ペダル２は、ペダル本体１４とペダルカバー１５を、ねじ１６で一体に組み立てたものである。ペダル本体１４は、クロムめっきを施した鋼などの金属で構成され、前後方向に延びており、後部の幅は一定で、前部は、緩やかに拡幅するとともに丸みをもった形状になっている。また、ペダル本体１４は、後端部以外の周縁部が短く垂下し、下方に開放した浅い中空状に形成されている。ペダル本体１４の後部には、ペダルカバー１５の後述する位置決め用突起２４が通される孔１７が形成され、後端部には、ペダルカバー１５の被支持凹部２０に対応する凹部１８が、左右方向に延びるように形成されている。また、ペダル本体１４の裏面の前端部には、フェルトや硬質ゴムなどから成るクッション１４ａが貼り付けられている。
【００１９】
ペダルカバー１５は、合成樹脂、例えば白色のポリアセタールの成形品で構成されており、図５に示すように、天壁１５ａ、左右の側壁１５ｂ、１５ｂおよび背壁１５ｃを有し、前面および底面が開放した中空状に形成されている。天壁１５ａの前部１５ｄには、ねじ止め用の孔１９が形成されている。この天壁１５ａの前部１５ｄの上面は平坦になっており、この上面の光センサ５に対向する部分が、光センサ５の発光素子５ａからの光を反射する反射面部になっている。また、天壁１５ａの後部１５ｅは、前部１５ｄよりも若干高くなっており、この後部１５ｅに、断面半円形の被支持凹部２０が左右方向の全体にわたって形成されている。
【００２０】
また、ペダルカバー１５の前端部には、ガイド部２１が立設されている。このガイド部２１は、天壁１５ａよりも幅および高さが大きなつば状のものであり、左右の鉛直部２１ａ、２１ａと、それらの上端部間をつなぐ水平部２１ｂとから、逆Ｕ字形に形成されていて、それらの内側が開口２２になっている。また、ペダルカバー１５の左右の側壁１５ｂ、１５ｂの下端部にはそれぞれ、ヒレ部２３、２３が、外方に突出し、前後方向に延びるように形成されており、その前端部はガイド部２１の鉛直部２１ａの下端部に連なっている。さらに、ペダルカバー１５の天壁１５ａの下面前部には、コイルばね７を位置決めするための円筒状の位置決め用突起２４が設けられている。
【００２１】
図４に示すように、以上の構成のペダルカバー１５にペダル本体１４の後部が下側から嵌め込まれ、ペダルカバー１５の孔１９に通したねじ１６によって、ペダル本体１４とペダルカバー１５が互いに固定されている。この状態では、ペダル本体１４の後部はペダルカバー１５で覆われ、ペダル本体１４の前部は、ペダルカバー１５の開口２２から前方に突出している。また、前者１４の凹部１８は、後者１５の被支持凹部２０に嵌合し、後者１５の位置決め用突起２４は、前者１４の孔１７を通って下方に突出している。この位置決め用突起２４にコイルばね７が嵌められ、それにより、コイルばね７がペダル２に対して所定位置に位置決めされる。
【００２２】
シャーシ３は、ＡＢＳなどの合成樹脂の成形品で構成されており、図６および図７に示すように、前後方向に長い長方形状のベース部２５と、ベース部２５の後部に立設されたペダル取付部２６を一体に有している。
【００２３】
ベース部２５の周壁は、背壁２５ａを含めて、下方に向かって広がるように若干斜めに垂下しており、それにより、ベース部２５は、下方に開放した浅い中空状に形成されている。ベース部２５には、ペダル取付部２６を取り囲む四隅の位置に、カバー４のねじ止め用のリブ付きの孔２７が上下方向に貫通するように形成されている。
【００２４】
また、ベース部２５の裏面には、これら４つの孔２７の前後方向の中間の２個所と、前部の２個所に、ベースプレート８のねじ止め用の計４つのリブ付きのねじ穴２８が形成されている。また、ベース部２５の上面には、上記４つの孔２７を取り囲むように、カバー４の下端部が嵌め込まれるカバー溝２９が形成されるとともに、前部の所定位置には、踏み込まれたペダル２が当接する突起状のストッパ３０が一体に設けられている。
【００２５】
また、シャーシ３のペダル取付部２６は、中空状に形成され、その内部空間がペダル収容部３１になっているとともに、上方および下方に開放しており、前壁には矩形状の窓部３２が形成されている。この窓部３２の上縁には、フェルトや硬質ゴムなどから成る上限ストッパ３２ａが貼り付けられている（図３参照）。図３に示すように、ペダル収容部３１にはペダル２のペダルカバー１５の部分が収容され、ペダル本体１４は、窓部３２を通って前方に突出している。
【００２６】
また、図３および図６に示すように、ペダル取付部２６の後部には、支点部３３が設けられている。この支点部３３は、左右方向に延びるとともに、Ｕ字形の断面を有し、その下端部は半円形に形成されている。この支点部３３にペダルカバー１５の被支持凹部２０が、コイルばね７で付勢された状態で、下側から係合しており、それにより、ペダル２は支点部３３に回動自在に支持されている。
【００２７】
また、ペダル収容部３１の前端部は、左右両側に拡幅された所定の幅のガイド孔３４になっており、このガイド孔３４に、ペダル２のペダルカバー１５のガイド部２１が配置されている。さらに、ペダル収容部３２の左右の内側面の上部には、ガイドブロック部３５、３５（図７に１つのみ図示）が前後方向に延びるように設けられている。これらのガイドブロック部３５、３５間にペダルカバー１５のガイド部２１以外の部分が配置されるとともに、ガイドブロック部３５、３５をペダルカバー１５のヒレ部２３、２３が下側から覆うようになっている。また、ペダル取付部２６の上面には、ペダル収容部３２の左右両側に、プリント基板６のねじ止め用のリブ付きのねじ穴２６ａ、２６ａが形成されている。
【００２８】
カバー４は、シャーシ３と同様、ＡＢＳなどの合成樹脂の成形品で構成されており、図８に示すように、天壁４ａ、前壁４ｂ、左右の側壁４ｃ、４ｃおよび背壁４ｄを有し、底面が開放した中空状に形成されている。天壁４ａ以外の壁４ｂ〜４ｄは、下方に向かって広がるように若干、傾斜している。また、前壁４ｂには、シャーシ３の窓部３２に対応する位置に、下方に開放した矩形状の窓部３６が形成されている。この窓部３６の幅は、シャーシ３の窓部３２よりも小さく、ペダル本体１４の対応部分の幅よりも若干大きい。また、背壁４ｄの下端部には、ペダルケーブル９が通される切欠３７が形成されている。また、カバー４の内部の四隅には、カバー４のねじ止め用のリブ付きのねじ穴３８が形成されている。
【００２９】
以上の構成のカバー４は、シャーシ３のペダル取付部２６およびこれに取り付けたプリント基板６を上方から覆い、下端部がシャーシ３のカバー溝２９に嵌め込まれた状態で、図１１に示すベースプレート８の４つの孔４４およびシャーシ３の４つの孔２７に下方から通したねじ３９を、カバー４のねじ穴３８にねじ込むことによって、シャーシ３に固定されている（図３参照）。
【００３０】
図９および図１０に示すように、プリント基板６は、左右方向に延びる長方形状のものであり、その左右２つの孔４０、４０の各々に上方から通したねじ４１を、シャーシ３のねじ穴２６ａにねじ込むことによって、シャーシ３のペダル取付部２６の上面に、ペダル収容部３１を覆うように水平に取り付けられている。プリント基板６の裏面には、ペダル２のペダルカバー１５に対応する位置に前記光センサ５が設けられ、左右方向の一端部には可変抵抗４２が設けられている。
【００３１】
図３に示すように、光センサ５は、フォトインタラプタなどから成る発光素子５ａおよび受光素子５ｂを有する反射型のものである。具体的には、発光素子５ａで発光された光を、反射面部、すなわちペダルカバー１５の天壁１５ａの前部１５ｄに向かって放射するとともに、反射面部で反射された光を受光素子５ｂで受光するように構成されている。
【００３２】
発光素子５ａおよび受光素子５ｂは、ペダルケーブル９によって、ピアノ本体の発音制御装置（図示せず）に接続されており、この発音制御装置において、発光および受光のタイミングの時間差に基づき、ペダル２の踏込み量が算出される。ペダルケーブル９は、シャーシ３に一体に形成されたケーブル止め（図示せず）に係止され、カバー４の切欠３７から外部に延びるとともに、端子９ａによってピアノ本体に接続されている。
【００３３】
可変抵抗４２は、光センサ５の発光素子５ａの発光量を調整するためのものであり、抵抗値が可変の抵抗本体４２ａと、抵抗値を調整するための回転操作子４２ｂを有している。この回転操作子４２ｂは、抵抗本体４２ａの下側に配置された厚い円板状の本体部と、本体部から抵抗本体４２ａを貫通して上方に延びる軸部（図示せず）とを一体に有しており、軸部の先端にはドライバー操作用の溝（図示せず）が形成されている。また、プリント基板６には、回転操作子４２ｂの軸部に対応する位置にドライバー挿入孔４３が形成されている。したがって、カバー４を取り外した状態で、ドライバー挿入孔４３にドライバーを挿入し、溝を介して回転操作子４２ｂを回すことにより、光センサ５の発光量を調整することができる。
【００３４】
図１１に示すように、ベースプレート８は、長方形状のものであり、前述したカバー４のねじ止め用の４つの孔４４に加えて、自身のねじ止め用の４つの孔４５を有している。ベースプレート８は、シャーシ３のベース部２５の開放した下面をふさぐように設けられ、４つの孔４５に下方から通したねじ４６を、シャーシ３のねじ穴２８にねじ込むことによって、シャーシ３に固定されている。ベースプレート８の上面には、コイルばね７に対応する位置に、これを位置するための位置決め用突起４７が設けられている。ベースプレート８の裏面には、フェルトや硬質ゴムなどから成る前後２つのクッション４８が貼り付けられており、ペダル装置１は、これらのクッション４８を介して床Ｆに接地されている（図３参照）。
【００３５】
また、コイルばね７は、上端部がペダル２の位置決め用突起２４に嵌め込まれ、位置決めされた状態で、ペダル２とベースプレート８の間に配置されており、ペダル２を常時、上方に付勢している。
【００３６】
以上の構成のペダル装置１は、例えば、次の手順で組み立てられる。
Ａ．ペダル本体１４にペダルカバー１５をねじ１６で固定し、ペダル２を組み立  てる。
Ｂ．これと並行して、プリント基板６に光センサ５、ペダルケーブル９および可  変抵抗４２などを取り付けた基板組立体を準備する。
Ｃ．シャーシ３を逆さにし、そのペダル取付部２６内にペダル２をペダル本体１  ４側から挿入し、ペダル本体１４をシャーシ３の窓部３２に後方から通すこと  によって、ペダルカバー１５をペダル取付部２６内に収容するとともに、支点  部３３にペダルカバー１５の被支持凹部２０を係合させる。
Ｄ．ペダル２の位置決め用突起２４にコイルばね７の一端部を嵌めるとともに、  シャーシ３の開放した下面にベースプレート８を嵌め込み、その位置決め用突  起４７をコイルばね７の他端部に嵌める。これにより、ペダル２、シャーシ３、  コイルばね７およびペダルプレート８が相互に位置決めされ、その状態で、ベ  ースプレート８をシャーシ３にねじ４６で固定する。
Ｅ．次いで、Ｄで組み立てたシャーシ３などを上下反転した後、そのペダル取付  部２６に基板組立体のプリント基板６をねじ４１で固定する。
Ｆ．次いで、カバー４をペダル取付部２６および基板組立体に上方からかぶせ、  ペダルケーブル９をカバー４の切欠３７に通した状態で、シャーシ３にカバー  ４をねじ３９で固定することによって、ペダル装置１の組立が完了する。
【００３７】
次に、上述した構成のペダル装置１の動作を説明する。図３に示すペダル２の非踏込み状態では、ペダル２は、コイルばね７のばね力によって上側に位置し、ほぼ水平になっており、ペダル本体１４が上限ストッパ３２ａに当接している。
【００３８】
この非踏込み状態から、ペダル本体１４が踏まれると、ペダル２は、コイルばね７のばね力に抗して、支点部３３を中心として下方に回動する。その下限位置は、ペダル本体１４がクッション１４ａを介してシャーシ３のストッパ３０に当接することにより、規制される。このペダル２の回動の際、ペダルカバー１５のガイド部２１以外の部分がガイドブロック部３２、３２間を通るとともに、ガイド部２１の左右の鉛直部２１ａ、２１ａがガイド孔３１で案内されることによって、ペダル２の横ぶれが規制される。
【００３９】
また、このときのペダル２の踏込み量は、光センサ５により、前述したようにして検出される。この踏込み量を表す検出信号は、ペダルケーブル９を介して発音制御装置に送られ、発音制御装置によって、ペダル２の踏込み量に応じたペダル効果が付与される。また、前述したように、ペダルカバー１５のヒレ部２３、２３は、シャーシ３のガイドブロック部３２、３２を下側から覆っており、それにより、シャーシ３のペダル収容部３１内に下方から侵入する外光が遮断される。さらに、図３に示すように、ガイド部２１の水平部２１ｂは、プリント基板６の前端部を覆っており、それにより、ペダル収容部３１内に上方から侵入する外光が遮断される。
【００４０】
ペダル２の踏込み操作が終了すると、ペダル２は、コイルばね７のばね力によって上方に回動し、上限ストッパ３２ａに当接することによって、図３の非踏込み状態に復帰する。
【００４１】
以上のように、本実施形態のペダル装置１によれば、カバー４のない状態で、シャーシ３にペダル２やコイルばね７などを取り付け、その後、カバー４をシャーシ３に取り付けるので、その組立を容易に行うことができる。また、カバー４を取り外すことによって、ペダル装置１の調整やメンテナンスも容易に行うことができる。
【００４２】
また、シャーシ３とカバー４が別体で構成されているので、ペダル２などのペダル装置１の設計の自由度を高めることができる。例えば、実施形態のように、ペダル本体１４の後部により大きな幅のペダルカバー１５が取り付けられる場合でも、シャーシ３の窓部３２にペダル本体１４を後方から通すことによって、ペダル２をシャーシ３に支障なく取り付けることができる。一方、前述したように、カバー４の窓部３６の幅は、シャーシ３の窓部３２よりも小さく、ペダル本体１４の対応部分の幅よりも若干大きいので、ペダル２とカバー４の窓部３６との間の隙間を最小限に抑制でき、それにより、良好な外観を確保することができる。
【００４３】
また、光センサ５の光量を調整する可変抵抗４２がプリント基板６に設けられるとともに、その回転操作子４２ｂのドライバー操作用の溝が、プリント基板６のドライバー挿入孔４３に臨むように配置されている。したがって、カバー４を取り外した状態で、ペダル２を取り付けたまま、ドライバー挿入孔４３にドライバーを挿入し、溝を介して回転操作子４２ｂを回すことによって、光センサ５の発光量を容易に調整することができる。
【００４４】
さらに、ペダルカバー１５のヒレ部２３およびガイド部２１の水平部２１ｂによって、シャーシ３内に下方および上方から侵入する外光が遮断される。したがって、ペダル取付部２６がカバー４で覆われることと相まって、光センサ５の受光素子５ｂに受光される外光の量を十分に抑制でき、それにより、光センサ５の安定した動作を確保し、ペダル２の踏込み量を精度良く検出することができる。また、ペダルカバー１５に、上記の遮光用のヒレ部２３および水平部２１ｂ、さらには発光素子５ａからの光を反射する反射面部（天壁１５ａの前部１５ｄ）が、一体に形成されているので、これらを別個に設ける必要がなくなり、それにより、製造コストを削減することができる。
【００４５】
また、シャーシ３のベース部２５の背壁２５ａが下方に広がるように傾斜しているとともに、カバー４の背壁４ｄの下端部に開口する切欠３７にペダルケーブル９が通されているので、ペダル装置１を部屋の壁に密着した状態で使用する場合でも、ペダルケーブル９を、部屋の壁との間に挟み付けずに、支障なく引き出すことができる。また、シャーシ３に対するカバー４の着脱を、ペダルケーブル９に邪魔されることなく、容易に行うことができる。
【００４６】
なお、本発明は、説明した実施形態に限定されることなく、種々の態様で実施することができる。例えば、実施形態では、ペダルケーブル９を外部に引き出すための切欠３７を、カバー４の背壁４ｄの下端部に形成しているが、これに代えて、シャーシ３の背壁２５ａの上端部に切欠を形成してもよく、あるいは両背壁４ｄ、２５ａにそれぞれ、切欠を互いに合わさるように形成してもよい。
【００４７】
また、実施形態は、電子ピアノ用の分離タイプのペダル装置の例であるが、本発明は、これに限らず、他の鍵盤楽器、キーボード用の分離タイプのペダル装置はもとより、電子ピアノの一体型ペダルや、オルガンなどのイクスプレッションペダルなど、任意の鍵盤楽器の一体タイプのペダル装置にも適用することが可能である。その他、本発明の趣旨を逸脱しない範囲で、細部の構成を適宜、変更することができる。
【図面の簡単な説明】
【００４８】
【図１】本発明の実施形態によるペダル装置を示す斜視図である。
【図２】図１のペダル装置のカバーを取り外した状態を示す斜視図である。
【図３】図１のペダル装置の縦断面図である。
【図４】ペダルの（ａ）上方からの斜視図、および（ｂ）下方からの斜視図である。
【図５】ペダルカバーの（ａ）上方からの斜視図、および（ｂ）下方からの斜視図である。
【図６】シャーシの上方の斜視図である。
【図７】シャーシの下方からの斜視図である。
【図８】カバーの（ａ）上方からの斜視図、および（ｂ）下方からの斜視図である。
【図９】プリント基板などの上方からの斜視図である。
【図１０】プリント基板などの下方からの斜視図である。
【図１１】ベースプレートの上方からの斜視図である。
【符号の説明】
【００４９】
１  ペダル装置
２  ペダル
３  シャーシ
４  カバー
４ａ  前壁
４ｄ  背壁
５  光センサ
６  プリント基板
８  ベースプレート
９  ペダルケーブル
１４  ペダル本体
１５  ペダルカバー
１５ｄ  天壁の前部（反射面部）
２１  ガイド部
２１ｂ  水平部（遮光部）
２３  ヒレ部（遮光部）
２５ａ  シャーシの背壁
２６  ペダル取付部
３２  シャーシの窓部
３３  支点部
３６  カバーの窓部
３７  切欠
４２  可変抵抗
４２ｂ  回転操作子
４３  ドライバー挿入孔
Ｆ  床
【図１】
2008090170.tif 000003
【図２】
2008090170.tif 000004
【図３】
2008090170.tif 000005
【図４】
2008090170.tif 000006
【図５】
2008090170.tif 000007
【図６】
2008090170.tif 000008
【図７】
2008090170.tif 000009
【図８】
2008090170.tif 000010
【図９】
2008090170.tif 000011
【図１０】
2008090170.tif 000012
【図１１】
2008090170.tif 000013